(57)【要約】【課題】  プラグ受けの形状によらず、確実にプラグ受けからの脱落を防止できる電源プラグを提供する。【解決手段】  電源プラグ１は、基部２と、固定電気接続端子３１，３２と、可動電気接続端子４１，４２と、スライダー５とを備える。スライダー５の操作により、可動電気接続端子４１，４２は上下に回動可能である。電源プラグ１は、固定電気接続端子３１，３２と可動電気接続端子４１，４２とが重なり合い、可動電気接続端子４１，４２が固定電気接続端子の外形内に収まるアンロック状態と、当該アンロック状態から可動電気接続端子４１，４２が上方へ回動し、固定電気接続端子３１，３２の上方に可動電気接続端子４１，４２の一部が突出するロック状態との間でその状態を移行することができる。【選択図】    図１
2011014463.tif 000002
【特許請求の範囲】
【請求項１】
基部と、
前記基部から突出した状態で前記基部に固定され、互いに平行な平板状をなす一対の固定電気接続端子と、
前記一対の固定電気接続端子の面に沿って前記基部から突出した状態で前記基部に取り付けられ、前記固定電気接統端子の長手方向に対して交差する方向へ移動可能とされ、互いに平行な平板状をなす一対の脱落防止部材と、
前記基部に操作可能に設けられており、操作によって前記脱落防止部材を前記固定電気接続端子の長手方向に対して交差する方向へ移動させ、前記脱落防止部材が前記固定電気接続端子の長手方向に対して交差する方向の側縁部から突出しない第１状態から、前記固定電気接続端子の前記側縁部から突出する第２状態へ切り替える切替部と、
を備え、
前記脱落防止部材は、前記第２状態において前記固定電気接続端子の前記側縁部から突出した部分のうち、少なくとも前記固定電気接続端子が挿入されるプラグ受けの穴の端部に対応する位置を含む領域において、前記基部からその先端部に向かって所定の割合で突出量が増大するように構成されている、電源プラグ。
【請求項２】
前記脱落防止部材は、前記一対の固定電気接続端子が並ぶ方向へ延びる回動軸を中心として回動可能であり、前記固定電気接続端子の長手方向に対して交差する方向の前記脱落防止部材の側縁部が前記第１状態において前記固定電気接続端子の長手方向と平行な直線状に形成されており、前記切替部の操作によって前記第１状態から所定角度回動することにより、前記側縁部が前記固定電気接続端子の長手方向に対して前記所定角度傾斜するように構成されている、請求項１に記載の電源プラグ。
【請求項３】
前記一対の固定電気接続端子のそれぞれは、その先端近傍に、当該電源プラグが差し込まれるプラグ受けに設けられた突起に係合するための円形の穴が形成されており、
前記脱落防止部材は、前記第１状態において前記固定電気接続端子の前記円形の穴を閉塞しないように、前記固定電気接続端子の前記円形の穴に対応する一部が欠落している、請求項１又は２に記載の電源プラグ。
【請求項４】
前記脱落防止部材は、前記第２状態において前記固定電気接続端子の前記円形穴の少なくとも一部を閉塞しないように、その一部が欠落している、請求項３に記載の電源プラグ。
【請求項５】
前記脱落防止部材は、前記固定電気接続端子の前記円形の穴に対応する位置に穴が設けられている、請求項３又は４に記載の電源プラグ。
【請求項６】
前記一対の脱落防止部材は、前記一対の固定電気接続端子の対向面のそれぞれに沿って設けられている、請求項１乃至５のいずれかに記載の電源プラグ。
【請求項７】
前記脱落防止部材は、導電性材料により構成されている、請求項１乃至６のいずれかに記載の電源プラグ。
【発明の詳細な説明】
【技術分野】
【０００１】
本発明は、電力供給用のプラグ受けに差し込まれる電源プラグに関する。
【背景技術】
【０００２】
特許文献１には、コンセントに差し込まれる一対のプラグ端子と、この一対のプラグ端子と共に設けられた脱落防止部材とを備えるプラグが開示されている。この特許文献１に開示されたプラグは、一対のプラグ端子が取り付けられた第１支持体と、この第１支持体に対して９０度回転可能に取り付けられた第２支持体とを備えている。このプラグは、第２支持体を９０度回転させることで、脱落防止部材の位置をプラグ端子の外形内に収納された第２位置から、脱落防止部材の係止部がプラグ端子の外形から突出した第１位置へと切り替えられる。第１位置においては、係止部がプラグ端子に対して直角に突出する。このプラグ端子に対して直角をなす係止部が、コンセントの係合部と係合することで、プラグのコンセントからの抜けが防止される。
【先行技術文献】
【特許文献】
【０００３】
【特許文献１】特開２００１−６８２００号公報
【発明の概要】
【発明が解決しようとする課題】
【０００４】
しかしながら、上記特許文献１に開示されているプラグにあっては、第１位置において脱落防止部材の係止部のコンセントの係合部に当接する当接面が、プラグ端子に対して直角をなすため、係止部の前記当接面と第１支持体のコンセントヘの当接面とが互いに平行となり、これらの平行な当接面によってコンセントの係合部が挟まれることとなる。このため、コンセントの係合部の厚さが脱落防止部材の当接面と第１支持体の当接面との間の距離よりも大きい場合には、脱落防止部材の係止部とコンセントの係合部とを係合させることができず、プラグのコンセントからの抜け防止が達成されない。
【０００５】
本発明は斯かる事情に鑑みてなされたものであり、その主たる目的は、上記課題を解決することができる電源プラグを提供することにある。
【課題を解決するための手段】
【０００６】
上述した課題を解決するために、本発明の一の態様の電源プラグは、基部と、前記基部から突出した状態で前記基部に固定され、互いに平行な平板状をなす一対の固定電気接続端子と、前記一対の固定電気接続端子の面に沿って前記基部から突出した状態で前記基部に取り付けられ、前記固定電気接続端子の長手方向に対して交差する方向へ移動可能とされ、互いに平行な平板状をなす一対の脱落防止部材と、前記基部に操作可能に設けられており、操作によって前記脱落防止部材を前記固定電気接続端子の長手方向に対して交差する方向へ移動させ、前記脱落防止部材が前記固定電気接続端子の長手方向に対して交差する方向の側縁部から突出しない第１状態から、前記固定電気接続端子の前記側縁部から突出する第２状態へ切り替える切替部と、を備え、前記脱落防止部材は、前記第２状態において前記固定電気接続端子の前記側縁部から突出した部分のうち、少なくとも前記固定電気接続端子が挿入されるプラグ受けの穴の端部に対応する位置を含む領域において、前記基部からその先端部に向かって所定の割合で突出量が増大するように構成されている。
【０００７】
この態様においては、前記脱落防止部材が、前記一対の固定電気接続端子が並ぶ方向へ延びる回動軸を中心として回動可能であり、前記固定電気接続端子の長手方向に対して交差する方向の前記脱落防止部材の側縁部が前記第１状態において前記固定電気接続端子の長手方向と平行な直線状に形成されており、前記切替部の操作によって前記第１状態から所定角度回動することにより、前記側縁部が前記固定電気接続端子の長手方向に対して前記所定角度傾斜するように構成されていることが好ましい。
【０００８】
また、上記態様においては、前記一対の固定電気接続端子のそれぞれが、その先端近傍に、当該電源プラグが差し込まれるプラグ受けに設けられた突起に係合するための円形の穴が形成されており、前記脱落防止部材が、前記第１状態において前記固定電気接続端子の前記円形の穴を閉塞しないように、前記固定電気接続端子の前記円形の穴に対応する一部が欠落していることが好ましい。
【０００９】
また、上記態様においては、前記脱落防止部材が、前記第２状態において前記固定電気接続端子の前記円形穴の少なくとも一部を閉塞しないように、その一部が欠落していることが好ましい。
【００１０】
また、上記態様においては、前記脱落防止部材が、前記固定電気接続端子の前記円形の穴に対応する位置に穴が設けられていることが好ましい。
【００１１】
また、上記態様においては、前記一対の脱落防止部材が、前記一対の固定電気接統端子の対向面のそれぞれに沿って設けられていることが好ましい。
【００１２】
また、上記態様においては、前記脱落防止部材が、導電性材料により構成されていることが好ましい。
【発明の効果】
【００１３】
本発明に係る電源プラグによれば、プラグ受けの形状によらず、確実に電源プラグのプラグ受けからの脱落が防止される。
【図面の簡単な説明】
【００１４】
【図１】実施の形態に係る電源プラグの全体構成を示す斜視図。
【図２】実施の形態に係る電源プラグの全体構成を示す平面断面図。
【図３】図２のＡ−Ａ線による断面矢視図。
【図４】図３のＢ−Ｂ線による断面矢視図。
【図５】実施の形態に係る電源プラグが備える基部の内部構造を示す平面断面図。
【図６】図５のＣ−Ｃ線による断面矢視図。
【図７】スライダーが可動ストロークの左端まで移動したときの基部の内部状態を示す電源プラグの断面図。
【図８】コンセントの寸法を説明するための正面図。
【図９】コンセントの構成を示す平面断面図。
【図１０】ロック状態における電源プラグの構成を示す側面断面図。
【発明を実施するための形態】
【００１５】
以下、本発明の好ましい実施の形態を、図面を参照しながら説明する。
【００１６】
本実施の形態に係る電源プラグは、固定電気接続端子と、可動電気接続端子と、切替部とを備え、切替部を操作することによって可動電気接続端子を固定電気接続端子から突出しないアンロック状態から、固定電気接続端子から突出するロック状態へと切替可能であり、ロック状態において可動電気接続端子が、固定電気接続端子の基端から先端に向かって突出量が増大するように固定電気接続端子の長手方向に対して直線的に傾斜している電源プラグである。
【００１７】
図１は本実施の形態に係る電源プラグの全体構成を示す斜視図、図２はその平面断面図、図３は図２のＡ−Ａ線による断面矢視図、図４は図３のＢ−Ｂ線による断面矢視図である。図１〜４に示すように、本実施の形態に係る電源プラグ１は、基部２と、一対の固定電気接続端子３１，３２と、一対の可動電気接続端子４１，４２と、スライダー５とを備えている。
【００１８】
基部２は、概ね直方体形状をなしており、絶縁性の合成樹脂によって構成されている。基部２の正面からは一対の固定電気接続端子３１，３２が前方へ突出している。固定電気接続端子３１，３２のそれぞれは、前方に長い平板状をなしており、それぞれの平面が互いに対向するように平行に配置されている。固定電気接続端子３１，３２のそれぞれには、図３に示すように先端に円形の穴３３が設けられている。この穴３３は、電源プラグ１がプラグ受けに差し込まれたときに、プラグ受け側に設けられた電源プラグの脱落防止用の突起と係合するためのものである。
【００１９】
図５は、基部２の内部構造を示す平面断面図であり、図６は、図５のＣ−Ｃ線による断面矢視図である。基部２は、上側半分の第１部分２１と、下側半分の第２部分２２とを互いに固着して構成される。図５は、第２部分２２を上方から見たときの図である。図５に示すように、基部２の内部には、部品（固定電気接続端子３１，３２、可動電気接続端子４１，４２、スライダー５）を配置するための第１空間２３ａが設けられており、この第１空間２３ａの後方に第２空間２３ｂが設けられている。
【００２０】
固定電気接続端子３１，３２は、基部２の内部にまで直線的に延びている（図２参照）。固定電気接続端子３１，３２は、基部２の内部において、第１空間２３ａを通って後方へ延びており、それぞれの後端が第２空間２３ｂ内に到達している。固定電気接続端子３１，３２の後端部分には、導線接続用の穴３４が設けられており（図２参照）、第２空間２３ｂの内部において固定電気接続端子３１，３２が、基部２の外部へと延びる導線（図示せず）と接続される。
【００２１】
また、基部２の正面からは、一対の可動電気接続端子４１，４２が前方へ突出している。可動電気接続端子４１，４２の基部２から突出した部分は、固定電気接続端子３１，３２の基部２から突出した部分と同程度の大きさの板状をなしている。一方の可動電気接続端子４１は、一方の固定電気接続端子３１における他方の固定電気接続端子３２との対向面に沿って、固定電気接続端子３１と重ねられた状態で配置されている。他方の可動電気接続端子４１は、固定電気接続端子３２の固定電気接続端子３１との対向面に沿って、固定電気接続端子３２と重ねられた状態で配置されている。つまり、固定電気接続端子３１，３２の内側に、可動電気接続端子４１，４２が配置されている。
【００２２】
可動電気接続端子４１，４２のそれぞれの先端には、固定電気接続端子３１，３２と同様に、円形の穴４３が設けられている。穴４３は、穴３３と同じ大きさ及び形状を有しており、穴３３と同軸的に重なるように設けられている。つまり、穴３３は、穴３３と同一の大きさの穴４３が可動電気接続端子４１，４２に設けられていることにより、可動電気接続端子４１，４２によってその一部分においても塞がれていない。これにより、固定電気接続端子３１，３２の穴３３がプラグ受け側に設けられた脱落防止用の突起と確実に係合することが可能である。
【００２３】
また、可動電気接続端子４１，４２の先端部分の上端には鋸歯状部４４ａが、前記先端部分の下端には鋸歯状部４４ｂが設けられている。鋸歯状部４４ａ，４４ｂは、それぞれ三角形状の突状部を複数有しており、これによって鋸歯状に形成されている。可動電気接続端子４１，４２の前記鋸歯状部４４ａ，４４ｂより基部２側の部分の上下端縁は、直線状に形成された直線部４５ａ，４５ｂとなっている。直線部４５ａは固定電気接続端子３１，３２の上端縁の直線と同一高さに設けられており、直線部４５ｂは固定電気接続端子３１，３２の下端縁の直線と同一高さに設けられている。また、可動電気接続端子４１，４２の鋸歯状部４４ａの各突状部の頂点は直線部４５ａの延長線上に位置し、鋸歯状部４４ｂの各突状部の頂点は直線部４５ｂの延長線上に位置する。つまり、側面視において、鋸歯状部４４ａ，４４ｂの突状部は固定電気接続端子３１，３２から突出せず、可動電気接続端子４１，４２の全体が固定電気接続端子３１，３２の外形の内側に収まっている。
【００２４】
さらに、可動電気接続端子４１，４２は、基部２の内部に延びており、第１空間２３ａ内においてそれぞれの後端部分が互いに近接する方向に９０度屈曲している。つまり、可動電気接続端子４１の後端部分は、可動電気接続端子４２側へ９０度屈曲しており、可動電気接続端子４２の後端部分は、可動電気接続端子４１側へ９０度屈曲している。このような可動電気接続端子４１，４２の後端部分のそれぞれには、スライダー５に係合する係合部４６，４７が設けられている。係合部４６，４７のそれぞれは、前後方向へ延びた棒状部４６ａ，４７ａと、棒状部４６ａ，４７ａの後端に設けられた球状部４６ｂ，４７ｂとを備えている。
【００２５】
基部２の前側寄りの部分には、左右方向に延びた回動軸６が配されており、この回動軸６が固定電気接続端子３１，３２及び可動電気接続端子４１，４２を貫通している。可動電気接続端子４１，４２は、回動軸６が貫通するための円形の穴が設けられており、この穴の直径は回動軸６の直径よりも若干大きい。これにより、可動電気接続端子４１，４２は、回動軸６を中心として、上下方向に回動可能となっている。また、基部２の前面には、固定電気接続端子３１及び可動電気接続端子４１を配置するための四角形の穴２５ａと、固定電気接続端子３１及び可動電気接続端子４１を配置するための四角形の穴２５ｂとが左右に並んで開口している。穴２５ａ，２５ｂは、高さ（上下方向長さ）が固定電気接続端子３１の高さよりも大きく、幅（左右方向長さ）が固定電気接続端子３１の幅と可動電気接続端子４１の幅との合計よりも若干大きい穴であり、図３に示すように基部２の第１空間２３ａに繋がっている。固定電気接続端子３１，３２は、当該穴２５ａ，２５ｂと上下方向の中央位置を合わせた状態で配置される。かかる穴２５ａ，２５ｂが設けられていることにより、可動電気接続端子４１，４２が干渉されずに回動することができるようになっている。具体的には、固定電気接続端子３１，３２の高さが６．５ｍｍ、その幅が０．８ｍｍ、基部２の前面からの突出長さが１６．８ｍｍであり、固定電気接続端子３１，３２の対向面間の距離が１２．５ｍｍ、可動電気接続端子４１，４２の高さが６．５ｍｍ、その幅が０．８ｍｍ、基部２の前面からの突出長さが１６．８ｍｍ、直線部４５ａ，４５ｂの基部２の前面からの長さが９．８ｍｍであり、穴２５ａ，２５ｂの高さが８ｍｍ、幅が１．６ｍｍである。
【００２６】
スライダー５は左右に長い部材であり、その中央位置に直方体形状の係合ブロック５１を備えている。図４に示すように、この係合ブロック５１の正面には、２つの傾斜した長穴５１ａ，５１ｂが左右に設けられており、これらの長穴５１ａ，５１ｂに前述の可動電気接続端子４１，４２の係合部４６，４７の球状部４６ｂ，４７ｂが係合している。つまり、長穴５１ａ，５１ｂは、球状部４６ｂ，４７ｂの直径よりも若干大きい幅を有しており、かかる長穴５１ａ，５１ｂに球状部４６ｂ，４７ｂが挿入されている（図３及び図４参照）。長穴５１ａ，５１ｂは、右に進むにしたがって高くなるように傾斜している。図７は、スライダー５が可動ストロークの左端まで移動したときの基部２の内部の状態を示す電源プラグ１の断面図である。図７に示すように、スライダー５が後述するように左右に移動すると、球状部４６ｂ，４７ｂが長穴５１ａ，５１ｂ内を移動することにより、球状部４６ｂ，４７ｂの位置が上下に変化する。
【００２７】
スライダー５は、係合ブロック５１の左右両側に断面が円形の棒状部５２ａ，５２ｂを備えており、棒状部５２ａ，５２ｂのそれぞれの先端に操作部５３ａ，５３ｂを備えている。操作部５３ａ，５３ｂは、棒状部５２ａ，５２ｂよりも直径が大きい円盤状をなしており、棒状部５２ａ，５２ｂと同軸的に接続されている。また、固定電気接続端子３１，３２は、長手方向中間位置において図示しない穴が設けられており、固定電気接続端子３１の穴にスライダー５の棒状部５２ａが貫通しており、固定電気接続端子３２の穴にスライダー５の棒状部５２ｂが貫通している。これらの固定電気接続端子３１，３２の穴は、棒状部５２ａ，５２ｂよりも若干直径が大きい円形をなしている。また、係合ブロック５１の左右方向の長さは、固定電気接続端子３１及び３２の間の距離よりも短く、固定電気接続端子３１及び３２の間で左右方向に移動可能である。これにより、スライダー５は左右方向に移動可能となっている。
【００２８】
スライダー５は、固定電気接続端子３１，３２の間の距離と係合ブロック５１の左右方向長さとの差と同一の長さだけ、即ち係合ブロック５１の左右方向の移動ストロークの長さだけ、基部２の左右方向の長さよりも長くなっている。また、図５に示すように、基部が設けられている。穴２４ａ，２４ｂは、操作部５３ａ，５３ｂよりも若干直径が大きくしかも左右方向の長さが若干長い形状を有している。これにより、右側（図中上側）の穴２４ａには右側の操作部５３ａの全体が挿入可能であり、操作部５３ａが穴２４ａに挿入されたときには、操作部５３ａが基部２の側面から突出することなく、操作部５３ａの側端面と基部２の側面とが同一平面を形成する（図４参照）。同様に、左側（図中下側）の穴２４ｂには左側の操作部５３ｂの全体が挿入可能であり、操作部５３ｂが穴２４ｂに挿入されたときには、操作部５３ｂが基部２の側面から突出することなく、操作部５３ｂの側端面と基部２の側面とが同一平面を形成する。かかる構成とすることにより、ユーザは、操作部５３ａ又は５３ｂを押動して穴２４ａ又は２４ｂに押し込むことにより、スライダー５を左右方向へ移動させることができる（図４及び図７参照）。
【００２９】
上述したように、可動電気接続端子４１，４２は、側面視において固定電気接続端子３１，３２の外形の内側に収まるように配置されている。この状態をアンロック状態という。かかるアンロック状態においては、スライダー５が可動範囲内の左側限界位置に位置している。つまり、アンロック状態においては、スライダー５の右側の操作部５３ａの全体が基部２の右側の穴２４ａに挿入され、左側の操作部５３ｂが基部２の左側面から突出した状態となっている。このとき、可動電気接続端子４１，４２の球状部４６ｂ，４７ｂは、長穴５１ａ，５１ｂの右端に位置している。したがって、このとき球状部４６ｂ，４７ｂは、上下方向の可動範囲内において、上側限界位置に配置されている。
【００３０】
このようなアンロック状態では、上述したように可動電気接続端子４１，４２が固定電気接続端子３１，３２の外形の内側に収まっている。かかる電源プラグ１は、コンセント（プラグ受け）に挿入可能である。図８は、コンセントの寸法を説明するための正面図であり、図９は、その平面断面図である。図８に示すように、コンセント７の刃受穴７１，７２の寸法は、図中右側の（左側の固定電気接続端子３２及び可動電気接続端子４２が挿入される）刃受穴７２の高さが約７ｍｍ、幅が約２．２ｍｍ、図中左側の（右側の固定電気接続端子３１及び可動電気接続端子４１が挿入される）刃受穴７１（接地側刃受穴）の高さが約８．７ｍｍ、幅が約２．２ｍｍ、両刃受穴の距離（両刃受穴の左右方向中心間の距離）が約１２．７ｍｍである（ＪＩＳ  Ｃ  ８３０３参照）。また、図９に示すように、コンセント７の刃受穴７１，７２の奥側には、一対の磁性金属製の刃受７３，７４が配置されている。刃受７３及び７４のそれぞれは、左右一対の当接部材７３ａ，７３ｂ及び７４ａ，７４ｂによって構成されている。図９に示すように、両刃受７３，７４それぞれの外側に配置されている当接部材７３ａ，７４ａには、突起（ボッチ）７５が設けられている。電源プラグ１の固定電気接続端子３１，３２及び可動電気接続端子４１，４２は、アンロック状態において、かかるコンセント７の刃受穴７１，７２に挿入される。このとき、刃受７３の当接部材７３ａ，７３ｂに固定電気接続端子３１及び可動電気接続端子４１が挟まれ、刃受７４の当接部材７４ａ，７４ｂに固定電気接続端子３２及び可動電気接続端子４２が挟まれる。また、当接部材７３ａの突起７５が固定電気接続端子３１の穴３３に係合し、当接部材７４ａの突起７５が固定電気接続端子３２の穴３３に係合する。
【００３１】
ユーザは、上記のようにアンロック状態の電源プラグ１をコンセント７に挿入した後、スライダー５の操作部５３ｂを基部２に押し込み、スライダー５を移動させる。これにより、スライダー５の係合ブロック５１が図４において図中右側に移動し、可動電気接続端子４１，４２の球状部４６ｂ，４７ｂが長穴５１ａ，５１ｂに対して相対的に移動し、図７に示すように球状部４６ｂ，４７ｂが長穴５１ａ，５１ｂの左端に位置する。したがって、このとき球状部４６ｂ，４７ｂは、上下方向の可動範囲内において、下側限界位置に配置される。つまり、上記の操作によって、球状部４６ｂ，４７ｂが下方へ移動し、可動電気接続端子４１，４２が回動軸６を中心として回動し、可動電気接続端子４１，４２の基部２から突出した部分が上方へ移動する。このときの回転角度は８°である。このときの電源プラグ１の状態をロック状態という。
【００３２】
ここで、電源プラグ１がアンロック状態からロック状態へ移行するときに、可動電気接続端子４１，４２が回動するが、可動電気接続端子４１，４２は固定電気接続端子３１，３２の内側に配置されているため、固定電気接続端子３１，３２の穴３３と刃受７３，７４の突起７５との係合が、可動電気接続端子４１，４２の移動によって妨げられることがない。
【００３３】
図１０は、ロック状態における電源プラグ１の構成を示す側面断面図である。図に示すように、ロック状態においては、可動電気接続端子４１，４２が固定電気接続端子３１，３２よりも上方に突出する。ロック状態の可動電気接続端子４１，４２は、アンロック状態のときに対して８°回動している。このため、直線部４５ａ，４５ｂは水平面に対して８°傾斜している。換言すると、ロック状態において、可動電気接続端子４１，４２の固定電気接続端子３１，３２から突出した部分のうち、直線部４５ａ，４５ｂの領域においては、基部２から先端に向かって一定の割合で固定電気接続端子３１，３２からの突出量が増大している。本実施の形態における電源プラグ１においては、ロック状態のときに直線部４５ａ，４５ｂの最も先端側の簡所が固定電気接続端子３１，３２の上端から約１．４ｍｍ突出することとなる。つまり、コンセント７の刃受穴７２の下底に固定電気接続端子３２の下端が当接した場合、刃受穴７２の上端よりもさらに約０．４ｍｍだけ上方に、直線部４５ｂの最も先端側の箇所が位置することとなる。また、このとき、刃受穴７１の上端よりもさらに約０．７７ｍｍだけ上方に、可動電気接続端子４２の鋸歯状部４４ａの最も先端の箇所が位置することとなる。このように、ロック状態においては、可動電気接続端子４１，４２が、コンセント７の内部において刃受穴７１，７２の上端よりも上方まで突出するため、電源プラグ１にコンセント７から離反する方向の力が作用しても、刃受穴７１，７２の上端に可動電気接続端子４１，４２の上端面が当接し、電源プラグ１の脱落が防止される。
【００３４】
また、コンセント７の前記刃受穴刃受穴７１，７２が設けられた部材の厚みは例えば１０ｍｍ程度と十分に小さいため、可動電気接続端子４１，４２が回動範囲の上限に到達するまでに刃受穴７１，７２の上端に当接することはない。したがって、このような場合には上述したように可動電気接続端子４１，４２が水平状態から８°回動してロック状態へと移行し、電源プラグの脱落が防止される。一方，コンセント７の刃受穴７１，７２が設けられた部材が厚い場合には，可動電気接続端子４１，４２が回動範囲の上限に到達するまでに刃受穴７１，７２の上端に当接する場合がある。かかる場合であっても、直線部４５ａ，４５ｂの基部２の前面からの長さが９．８ｍｍ設けられているので、前記部材の厚さが９．８ｍｍ未満であれば、可動電気接続端子４１，４２の回動の途中で直線部４５ｂが刃受穴７２の上端に当接することになる。事実上、刃受穴７１，７２が設けられている部材の厚さが９．８ｍｍ以上となることはないので、可動電気接続端子４２が直線部４５ｂにおいて刃受穴７２の上端に確実に当接することになる。このように可動電気接続端子４１，４２の刃受穴７１，７２の上端に当接した位置よりも先端側の部分は，刃受穴７１，７２の上端よりも上方に位置するため，可動電気接続端子４１，４２が回動範囲の上限に達するまでに刃受穴７１，７２の上端に当接した場合でも、電源プラグ１にコンセント７から離反する方向の力が作用すれば刃受穴７１，７２の上端に可動電気接続端子４１，４２の前記先端側の部分が干渉し、電源プラグ１の脱落が防止される。
【００３５】
また、電源プラグ１がコンセント７に挿入され、上記のように可動電気接続端子４１，４２が回動されてロック状態となった場合において、電源プラグ１にコンセント７から離反する方向の力が作用すると、可動電気接続端子４１，４２が刃受穴７１，７２の上端と当接し、可動電気接続端子４１，４２に水平状態へと戻る方向の力が作用する。電源プラグ１にコンセント７から離反する方向の力が十分に強い場合には、可動電気接続端子４１，４２が水平状態へ戻る方向に回動することとなるが、可動電気接続端子４１，４２の先端には鋸歯状部４４ａが設けられているので、鋸歯状部４４ａの突状部が刃受穴７１，７２の上端と当接し、より一層電源プラグ１が脱落しにくくなる。
【００３６】
なお、たとえ刃受穴７１，７２が設けられている部材の厚さが９．８ｍｍ以上となっても、可動電気接続端子４１，４２が回動することで、鋸歯状部４４ａが刃受穴７１，７２の上端に当接することとなるので、電源プラグ１の脱落防止効果を得ることができる。
【００３７】
また、アンロック状態においては、固定電気接続端子３１，３２の穴３３と可動電気接続端子４１，４２の穴４３とが重なっているため、コンセント７の刃受７３，７４に設けられた突起７５が固定電気接続端子３１，３２の穴３３に係合する。ここで、本実施の形態においては、可動電気接続端子４１，４２が固定電気接続端子３１，３２の対向面に沿って設けられているため、電源プラグ１がコンセント７に挿入されたときに、固定電気接続端子３１，３２に設けられた穴３３と、前記対向面とは反対側に位置する突起７５とが係合する。固定電気接続端子３１，３２を挟んで突起７５の反対側にある可動電気接続端子４１，４２が回動してもこの係合が妨げられることはない。したがって、ロック状態においても、突起７５と穴３３とが確実に係合し、電源プラグ１の脱落が防止される。
【００３８】
また、ロック状態においては、図１０に示すように、可動電気接続端子４１，４２が回動することにより、穴３３と穴４３の位置がずれる。しかし、この状態においても穴３３と穴４３とは一部で重なっており、また可動電気接続端子４１，４２の外側の空間と穴３３とが重なった領域も開放されているので、穴３３が可動電気接続端子４１，４２によって完全に塞がれることはない。したがって、ロック状態において、上述のように穴３３と穴４３との重複した開放部分、及び可動電気接続端子４１，４２の外側の空間と穴３３とが重なった開放部分が存在するため、突起７５の高さが穴３３の深さ（固定電気接続端子３１，３２の厚さ）よりも大きくても、突起７５の先端部分が上記の開放部分に収まり、当該先端部分が可動電気接続端子４１，４２に乗り上げることを防止できる。これにより、固定電気接続端子３１，３２と当接部材７３ａ，７４ａとを密着させることができ、また、ロック状態でも穴３３と突起７５とが確実に係合し、電源プラグ１の脱落防止効果を得ることができる。
【００３９】
また、本実施の形態における電源プラグ１は、可動電気接続端子４１，４２が導電性材料により構成されているため、固定電気接続端子３１と可動電気接続端子４１とが一体的に一方の電気接続端子として機能し、固定電気接続端子３２と可動電気接続端子４２とが一体的に他方の電気接続端子として機能する。よって、可動電気接続端子４１，４２によってコンセント７との電気接続機能が損なわれることがない。さらには、ロック状態においては固定電気接続端子３１，３２の上方に可動電気接続端子４１，４２が突出し、固定電気接続端子３１（３２）と可動電気接続端子４１（４２）とが先端に向かうにしたがって扇状に広がることとなる。つまり、電源プラグ１の端子における刃受７３，７４との接触面積を大きく確保することができる。これにより、良好な電気接続性を確保することができる。
【００４０】
（その他の実施の形態）
なお、上述した実施の形態においては、可動電気接続端子４１，４２に直線部４５ａ，４５ｂを設け、その先端側に鋸歯状部４４ａ，４４ｂを設け、可動電気接続端子４１，４２を回動軸６回りに回動させることにより、直線部４５ａ，４５ｂが固定電気接続端子３１，３２の上端の直線（水平方向）に対して傾斜する構成について述べたが、これに限定されるものではない。ロック状態において、可動電気接続端子の基部２から突出した部分におけるコンセント７の刃受穴７１，７２の上端に対応する位置を含む領域が、前記基部からその先端部に向かって所定の割合で突出量が増大する構成であればよい。つまり、可動電気接続端子の基部２から突出した部分において、中間の領域のみ上端が直線状をなし、その中間領域の前後の領域の上端の形状が、鋸歯状部４４ａ，４４ｂの様に屈曲していたり、曲線状に構成されていてもよい。また、可動電気接続端子の基部２から突出した部分を、固定電気接続端子３１，３２の基部２から突出した部分と同一の形状とするなど、可動電気接続端子の基部２から突出した部分の上端を全体にわたって直線状に構成してもよい。
【００４１】
また、上述した実施の形態においては、可動電気接続端子４１，４２が回動軸６を中心として回動する角度を８°としたが、これに限定されるものではない。可動電気接続端子の先端が、刃受穴７１，７２の上端よりも上方に位置する角度であれば、どのような角度とすることも可能であるが、脱落防止機能を確実に発揮できるためには、４〜２０°程度の範囲内とすることが好ましい。
【００４２】
さらに、可動電気接続端子が上下方向に直線移動することにより、アンロック状態からロック状態に移行する構成としてもよい。この場合、可動電気接続端子の上端の一部を基部２から先端部へ向かうにしたがって高くなるように傾斜させ、この傾斜部を含めて可動電気接続端子の全体が側面視において固定電気接続端子３１，３２の外形内に収まるようにし、このアンロック状態から可動電気接続端子が上方へ移動することにより、前記傾斜部が固定電気接続端子３１，３２の上方に突出し、当該電源プラグにコンセント７から離反する方向の力が作用したときに、この傾斜部がコンセント７の刃受穴７１，７２の上端に当接することによって電源プラグ１の脱落が防止できるようにしてもよい。
【００４３】
また、上述した実施の形態においては、ロック状態において、可動電気接続端子４１，４２が固定電気接続端子３１，３２の上方に突出する構成について述べたが、これに限定されるものではない。ロック状態において、可動電気接続端子４１，４２が固定電気接続端子３１，３２の下方に突出する構成としてもよい。さらに、ロック状態において、一方の可動電気接続端子４１と、可動電気接続端子４２とが、それぞれ反対の方向に突出する構成（例えば、可動電気接続端子４１が固定電気接続端子３１の上方に突出し、可動電気接続端子４２が固定電気接続端子３２の下方に突出する構成）としてもよい。ここで、可動電気接続端子４１，４２が同一方向に突出する構成では２つの可動電気接続端子４１，４２と２つの固定電気接続端子３１，３２とが刃受穴７１，７２の上端及び下端に係合する。これに対して可動電気接続端子４１，４２が互いに反対の方向に突出する構成では、上方に突出した可動電気接続端子がその挿入されている刃受穴の上端に係合し、下方に突出した可動電気接続端子がその挿入されている刃受穴の下端に係合するため、固定電気接続端子３１，３２が刃受穴７１，７２の上下端に係合することがない。このため、可動電気接続端子４１，４２が同一方向に突出する構成の方が、可動電気接続端子４１，４２が互いに反対方向に突出する構成よりも脱落機能に優れ、好ましい。
【００４４】
また、上述した実施の形態においては、ロック状態において、可動電気接続端子４１，４２が、固定電気接続端子３１，３２の上端から突出した部分のうち直線部４５ａ，４５ｂが、基部２からその先端部に向かって所定の割合で突出量が増大する構成とした。ここでいう所定の割合とは、上記のように直線的に突出量が増大する構成だけでなく、可動電気接続端子の前記直線部４５ａ，４５ｂに相当する部分に、僅かな凹凸が存在したり、僅かに湾曲していることで高さが非線形に変化する（固定電気接続端子３１，３２の高さの５％以下の変化量）場合も含む概念である。
【００４５】
また、上述した実施の形態においては、アンロック状態において固定電気接続端子３１，３２に設けられた穴３３の全体と、可動電気接続端子４１，４２に設けられた穴の全体とが重なり、穴３３が閉塞されない構成について述べたが、これに限定されるものではない。可動電気接続端子４１，４２に、上方又は下方に切り欠かれた切り欠き部を設け、この切り欠き部によってアンロック状態における固定電気接続端子３１，３２の穴３３を閉塞しない構成としてもよい。また、この場合において、ロック状態でも切り欠き部が穴３３の全体と重なり、穴３３の全体を閉塞しない構成とすることもできる。これにより、コンセット７の刃受７３，７４の突起７５と穴３３との係合をより一層確実にし、当接部材７３ａ，７４ａと固定電気接続端子３１，３２との密着をより一層確実にすることができる。
【００４６】
なお、穴４３の形状は、円形だけでなく、楕円でもよい。当該穴の形状を、可動電気接続端子４１，４２の回動方向に長い楕円とすることにより、ロック状態において可動電気接続端子の当該穴と固定電気接続端子３１，３２の穴３３との重複する部分をより大きくすることができ、これにより、当接部材７３ａ，７４ａと固定電気接続端子３１，３２との密着をより一層確実にすることができる。また、穴４３の形状は、四角、六角等その他の形状であってもよい。
【００４７】
また、上述した実施の形態においては、可動電気接続端子４１，４２が固定電気接続端子３１，３２の対向面に沿って設けられた構成について述べたが、これに限定されるものではない。可動電気接続端子が固定電気接続端子の対向面の反対側の面に沿って設けられていてもよい。
【００４８】
また、上述した実施の形態においては、導電性材料により構成された可動電気接続端子４１，４２を備える構成について述べたが、これに限定されるものではない。可動電気接続端子４１，４２に代えて、可動電気接続端子４１，４２と同一形状の絶縁材料により構成された脱落防止部材を備える構成としてもよい。この場合、当該脱落防止部材は、電気接続端子としての機能を有しない。
【産業上の利用可能性】
【００４９】
本発明の電源プラグは、電力供給用のプラグ受けに差し込まれる電源プラグとして有用である。
【符号の説明】
【００５０】
１  電源プラグ
２  基部
２１  第１部分
２２  第２部分
２３ａ  第１空間
２３ｂ  第２空間
２４ａ，２４ｂ  穴
２５ａ，２５ｂ  穴
３１，３２  固定電気接続端子
３３  穴
３４  穴
４１，４２  可動電気接続端子
４３  穴
４４ａ，４４ｂ  鋸歯状部
４５ａ，４５ｂ  直線部
４６，４７  係合部
４６ａ，４７ａ  棒状部
４６ｂ，４７ｂ  球状部
５  スライダー
５１  係合ブロック
５１ａ，５１ｂ  長穴
５２ａ，５２ｂ  棒状部
５３ａ，５３ｂ  操作部
６  回動軸
７  コンセント
７１，７２  刃受穴
７３，７４  刃受
７３ａ，７３ｂ，７４ａ，７４ｂ  当接部材
７５  突起
【図１】
2011014463.tif 000003
【図２】
2011014463.tif 000004
【図３】
2011014463.tif 000005
【図４】
2011014463.tif 000006
【図５】
2011014463.tif 000007
【図６】
2011014463.tif 000008
【図７】
2011014463.tif 000009
【図８】
2011014463.tif 000010
【図９】
2011014463.tif 000011
【図１０】
2011014463.tif 000012